(57)【要約】【課題】二つのカバー本体を筒体として簡単且つ確実に組み立てられ、また、二つのカバー本体として容易に分解可能で、保管，収納にも嵩張りのない金属製筒状カバーを構成する。【解決手段】カバー本体１，２の片側縁は係止縁１０ｂ，２０ｂを設けたはぜ折り接手１０，２０として形成し、他側縁ははぜ折り接手１０，２０の係止縁１０ｂ，２０ｂで掛止め可能な半球状の突起２２，１２を側端縁より面内に設けた差込み接手２１，１１として形成し、更に、マイナスドライバー様の刃先Ｅを厚み縦の向きに差込み可能な外穴部分１３ａを他側本体２の側縁との間に保ち、該刃先Ｅを厚み縦の向きから幅横向きの回転で突起１２を係止縁２０ｂより外せる距離だけ他側本体２の側縁を押圧可能な内穴部分１３ｂを持つ抜き穴１３を突起１２の近傍位置で突起１２と組に筒体の長手方向で複数組設けた。【選択図】図２
0003125506.tif 000002
【実用新案登録請求の範囲】
【請求項１】
金属薄板から縦半割状に形成された二つのカバー本体を側縁相互による接合で筒体として組み立てられる金属製筒状カバーであって、
カバー本体の片側縁は側端寄り面を扁平な略Ｕ字状に内曲げすると共に、先端側を略Ｕ字の内側に曲げ込んで係止縁を設けたはぜ折り接手として形成し、他側縁ははぜ折り接手の係止縁で掛止め可能な半球状の突起を側端縁より面内に設けた差込み接手として形成し、
更に、二つのカバー本体から組み立てられた筒体にあって、マイナスドライバー様の刃先を厚み縦の向きに差込み可能な外穴部分を他側本体の側縁との間に保ち、且つ、該刃先を厚み縦の向きから幅横向きの回転で突起を係止縁より外せる距離だけ他側本体の側縁を押圧可能な内穴部分を持つ抜き穴を突起の近傍位置で突起と組に筒体の長手方向で複数組設け、
カバー本体が単体にあって、係止縁を含むはぜ折り接手と突起，抜き穴を含む差込み接手を各々有する同一形態の構成部材として形成したことを特徴とする金属製筒状カバー。
【請求項２】
縦半割状の断熱層を内面側に各々個別に備える二つのカバー本体から断熱覆い筒として形成したことを特徴とする請求項１に記載の金属製筒状カバー。
【考案の詳細な説明】
【技術分野】
【０００１】
本考案は、配管の化粧カバー，電線の結束カバー，排気筒の断熱カバー等として適宜な用途に使用可能な金属製筒状カバーに関するものである。
【背景技術】
【０００２】
従来、排気筒の断熱カバーを例示すると、複数の断熱材から半円状に形成された二つの断熱層を備え、その断熱層を側縁相互の接合で筒体として組み立てると共に、アルミ箔で被覆したクロスシートを断熱外被として断熱層の外周全面に積層し、片側の継ぎ目をクロスシートによるフィルムヒンジとして形成し、他側の継ぎ目を耐熱接着剤によるクロスシートの端末接着で固定するものが提案されている（特許文献１）。
【０００３】
その排気筒の断熱カバーは、永久設置型のものとして構成されている。このため、不要時や交換時には外被のクロスシートを切断することから取り外さなければならない。
【０００４】
鋼管柱の保護カバーを例示すると、鋼板材から半円状に形成された二つのカバー本体を備え、互い違いに組み合わさる小径の円筒管をカバー本体の側端縁に溶接固定し、鋼管柱を隔てて相対するカバー本体の円筒管を互い違いに組み合わすと共に、頭付のストッパピンを円筒管の径内に挿入することから筒体として接合固定するものが提案されている（特許文献２）。
【０００５】
その鋼管柱の保護カバーでは、頭付のストッパピンを互い違いに組み合わさる円筒管に対して抜き差しすれば、カバー本体を筒体として組み立てられ、また、カバー本体として二つに分解できる。然し、カバー本体乃至は筒体として長いものになると、ストッパピンの抜き差しが容易でない。
【０００６】
電線の結束カバーを例示すれば、半円状に形成された二つのカバー本体と、断面エの字状を呈する二つの接合桟とを備え、カバー本体の側端縁を接合桟の口内に嵌め合わせてカバー本体を相対すると共に、リング状の結束バンドを筒体の外周に嵌め合わせることから筒体として接合固定するものが提案されている（特許文献）。
【０００７】
その電線の結束カバーでは、結束バンドの着脱により、カバー本体を筒体として組み立てられ、また、カバー本体として二つに分解できる。然し、カバー本体の他に、接合桟，結束バンドが必要であるため、部品点数が多いばかりでなく、組立にも手間が掛かる。
【特許文献１】特開２００６−１２３３７４
【特許文献２】特開２００４−３６０２５０
【特許文献３】特開２０００−１６６０５５
【考案の開示】
【考案が解決しようとする課題】
【０００８】
本考案は、二つのカバー本体以外の構成部材を必要とせず、二つのカバー本体を筒体として簡単且つ確実に組み立てられ、また、二つのカバー本体として容易に分解可能で、保管，収納にも嵩張りのない金属製筒状カバーを提供することを目的とする。
【０００９】
また、他の構成部材を備えるとしても、上述した有用性を発揮可能な金属製筒状カバーを提供することを目的とする。
【課題を解決するための手段】
【００１０】
本考案の請求項１は、カバー本体の片側縁は側端寄り面を扁平な略Ｕ字状に内曲げすると共に、先端側を略Ｕ字の内側に曲げ込んで係止縁を設けたはぜ折り接手として形成し、他側縁ははぜ折り接手の係止縁で掛止め可能な半球状の突起を側端縁より面内に設けた差込み接手として形成し、
更に、二つのカバー本体から組み立てられた筒体にあって、マイナスドライバー様の刃先を厚み縦の向きに差込み可能な外穴部分を他側本体の側縁との間に保ち、且つ、該刃先を厚み縦の向きから幅横向きの回転で突起を係止縁より外せる距離だけ他側本体の側縁を押圧可能な内穴部分を持つ抜き穴を突起の近傍位置で突起と組に筒体の長手方向で複数組設け、
カバー本体が単体にあって、係止縁を含むはぜ折り接手と突起，抜き穴を含む差込み接手を各々有する同一形態の構成部材として形成したことを特徴とする。
【００１１】
本考案の請求項２は、縦半割状の断熱層を内面側に各々個別に備える二つの筒本体から断熱覆い筒として形成したことを特徴とする。
【考案の効果】
【００１２】
本考案の請求項１に係る金属製筒状カバーでは、差込み接手をはぜ折り接手の口内に圧入させて差込み接手の突起をはぜ折り接手の係止縁に掛け止めれば、二つのカバー本体を筒体として確実に組み立てられると共に、分解用の抜き穴を突起の近傍位置に設けるため、マイナスドライバー様の刃先を外穴部分の厚み縦向きから内穴部分に至って幅横向きに回転し、他側本体の側縁を所定の距離だけ押圧すれば突起を係止縁より外せることから、二つのカバー本体として容易に分解するようにできる。
【００１３】
また、カバー本体が単体にあって、係止縁を含むはぜ折り接手と突起，抜き穴を含む差込み接手を各々有する同一形態の構成部材として形成されているため、各々を縦半割状の同じ向きに重ねることから嵩張らずに保管，収納するようにできる。
【００１４】
本考案の請求項２に係る金属製筒状カバーでは、縦半割状の断熱層をカバー本体の内面側に各々個別に備えるため、上述した有用性を全て発揮可能な断熱覆い筒として構成するようにできる。
【考案を実施するための最良の形態】
【００１５】
図示の金属製筒状カバーは、図１，２で示すようにステンレス薄板から縦割り半円状に形成された二つのカバー本体１，２を側縁相互による接合で筒体として組み立てられる。カバー本体１，２には、はぜ折り接手１０，２０、差込み接手１１，２１が差込み接手１１，２１をはぜ折り接手１０，２０の口内に圧入することによる側縁相互の接合手段として設けられている。
【００１６】
はぜ折接ぎ手１０（２０）は、図３で示すようにカバー本体１（２）の側端寄り面を扁平な略Ｕ字状の受け口１０ａ（２０ａ）として内曲げすると共に、先端側を略Ｕ字の内側に曲げ込んで係止縁１０ｂ（２０ｂ）を設けることにより形成されている。
【００１７】
差込み接手２１（１１）は、図４で示すように切断端のままの側端縁でなり、面内にははぜ折り接手１０（２０）の係止縁１０ｂ（２０ｂ）で掛止め可能な半球状の突起２２（１２）が板面の突出しで設けられている。その突起２２（１２）の近傍位置には、抜き穴２３（１３）が突起２２（１２）と組に筒体の長手方向で複数組設けられている（図１参照）。
【００１８】
その抜き穴２３（１３）は、突起２２（１２）との位置関係から、筒体の開口端から離れて突起２２（１２）より内方に設ければ筒体としての剛性を保てる。また、突起２２（１２），抜き穴２３（１３）の組は筒体の長さに応じて所定の間隔を隔てて二組以上複数組設けるようにできる。
【００１９】
抜き穴１３（図２参照）は、二つのカバー本体１，２から組み立てられた筒体にあって、マイナスドライバー様の刃先を厚み縦の向きに差込み可能な狭幅の外穴部分１３ａを他側本体２の側縁との間に保ち、且つ、該刃先を厚み縦の向きから幅横向きに回転させて突起１２をはぜ折り接手２０の係止縁２０ｂより外せる距離だけ他側本体２０の側縁を押圧可能な内穴部分１３ｂを持つよう形成されている。内穴部分１３ｂは、カバー本体１，２の筒体形態ではぜ折り接手２０の口内に隠れる。
【００２０】
カバー本体１，２は単体にあって、上述した係止縁１０ｂ，２０ｂを含むはぜ折り接手１０，２０と突起１２，２２、抜き穴１３，２３を含む差込み接手１１，２１を各々有する同一形態の構成部材として形成されている。
【００２１】
このように構成する金属製筒状カバーでは、配管の化粧カバーや電線の結束カバー等の適宜な用途に使用するようにできる。その使用に際し、抜き穴１３の外穴部分１３ａは狭幅なものであるから筒体の外部に露出しても配線や電線等の収容物に影響を与えない。
【００２２】
筒状カバーとして組み立てるにあたっては、配管や電線等の収容物を内側に配置させてはぜ折り接手１０，２０と差込み接手２１，１１とを相対し、差込み接手２１，１１をはぜ折り接手１０，２０の口内に圧入すると、差込み接手２１，１１の突起２２，１２がはぜ折り接手１０，２０の係止縁１０ｂ，２０ｂに掛け止められると共に、はぜ折り接手１０，２０が突起２２，１２を含む差込み接手２１，１１をくわえ込むようになるため、二つのカバー本体１，２を筒体として簡単且つ確実に組み立てられる。
【００２３】
二つのカバー本体１，２として分解するにあたっては、まず、図５ａで示すようにマイナスドライバーＤの刃先Ｅを厚み縦の向きで外穴部分２３ａの穴内に挿入する。次に、図５ｂで示すようにマイナスドライバーＤの刃先Ｅを厚み縦の向きから内穴部分２３ｂで幅横向きに回転することから、他側本体１の側縁を所定の距離だけ押圧すれば、突起２２が半球状のものであるから係止縁１０ｂより容易に外し出せる。
【００２４】
必要ならば、更に、図５ｃで示すようにマイナスドライバーＤの刃先Ｅを幅横向きのまま抜き穴２３の全幅に亘るまで挿入すれば、突起２２をはぜ折り接手１０の受け口１０ａより完全に外せる。これにより、二つのカバー本体１，２として容易に分解するようにできる。なお、ここで用いられる工具としてはマイナスドライバー様の刃先を有するものであれば如何なる工具でも適用できる。
【００２５】
二つのカバー本体１，２として保管，収納するにあたっては、カバー本体１，２が単体にあって係止縁１０ｂ，２０ｂを含むはぜ折り接手１０，２０と、突起２２，１２、抜き穴１３，２３を含む差込み接手２１，１１とを各々有する同一形態の構成部材として形成されているため、図６で示すように各々を縦割半円状の同じ向きに重ねることから嵩張らずに保管，収納するようにできる。
【００２６】
上述した実施の形態は、配管の化粧カバーや電線の結束カバー等の適宜な用途に使用するようステンレス薄板から縦割り半円状に形成された二つのカバー本体１，２のみによるものに基づいて説明したが、図７で示すように縦割半円状の断熱層３ａ，３ｂを内面側に各々個別に備える二つのカバー本体１，２から断熱覆い筒として形成するようにできる。この断熱覆い筒の断熱層３ａ，３ｂは、カバー本体１，２と別体の着脱可能に組み付け、或いはカバー本体１，２の内側に接着固定するようにできる。
【００２７】
上述した実施の形態は、縦割り半円状に形成された二つのカバー本体１，２から構成する場合に基づいて説明したが、縦割り半楕円状に形成されたカバー本体から構成するようにもできる。
【図面の簡単な説明】
【００２８】
【図１】本考案に係る金属製筒状カバーを示す俯角斜視図である。
【図２】図１の筒状カバーを示す部分側面図である。
【図３】図１の筒状カバーに設けられたはぜ折り接手を示す断端面図である。
【図４】図１の筒状カバーに設けられた差込み接手を示す断端面図である。
【図５ａ】図１の筒状カバーを分解する初期工程を示す説明図である。
【図５ｂ】図５ａより引き続く筒状カバーの分解工程を示す説明図である。
【図５ｃ】図５ｂより引き続く筒状カバーの分解工程を示す説明図である。
【図６】二つに分解されたカバー本体の保管，収納状態を示す説明図である。
【図７】図１の筒状カバーを断熱覆い筒として構成した別の実施の形態を示す端面図である。
【符号の説明】
【００２９】
１，２            カバー本体
１０，２０        はぜ折接手
１１，２１        差込み接手
１２，２２        突起
１３，２３        抜き穴
１３ａ            抜き穴の外穴部分
１３ｂ            抜き穴の内穴部分
３ａ，３ｂ        断熱層
Ｄ，Ｅ            マイナスドライバー様の刃先
【図１】
0003125506.tif 000003
【図２】
0003125506.tif 000004
【図３】
0003125506.tif 000005
【図４】
0003125506.tif 000006
【図５ａ】
0003125506.tif 000007
【図５ｂ】
0003125506.tif 000008
【図５ｃ】
0003125506.tif 000009
【図６】
0003125506.tif 000010
【図７】
0003125506.tif 000011